(57)【要約】      （修正有）【課題】ロープを樹木等の棒状体に巻き付ける操作が簡単で且つ効率的に行うことを可能にするロープ取付具を提供する。【解決手段】ロープ取付具１は、第１アーム２及び第２アーム３を開いた状態にして樹木の幹を収容し、ロープ３２を引くだけで第１アーム２及び第２アーム３が閉じ、第１アーム２に着脱可能に取り付けられたフック１４に、第２アーム３のロープ仮保持体２２に張り渡されたロープ３２が引っ掛けられる。このフック１４にロープ３２が引っ掛けられた状態において、ロープ３２を引く力が解除されると第１アーム２及び第２アーム３が第１ばね２６及び第２ばね２７のばね力で開かれ、第１アーム２及び第２アーム３が樹木の幹に対して移動させられると、フック１４が第１アーム２から離脱してロープ３２と共に樹木の幹に巻き付けられる。【選択図】図１
2018099034.tif 000002
【特許請求の範囲】
【請求項１】
開いた状態の一対のアームの間に棒状体を位置させ、前記一対のアームを閉じることによって前記棒状体にロープを巻き付けるようになっているロープ取付具であって、
ポールの先端に固定されたアーム支持体と、
前記アーム支持体に回動可能に支持された一対のアームと、
前記一対のアームのうちの一方に着脱可能に取り付けられたフックと、
前記一対のアームのうちの他方に固定されたロープ仮保持体と、
前記ポールにスライド移動可能に取り付けられたスライダと、
前記フックと前記ロープ仮保持体とが離れて位置するように、前記一対のアームを開いた状態で保持するばねと、
前記フックに一端が固定され、前記ロープ仮保持体を介して前記スライダに張り渡され、前記スライダのロープ係合部から垂れ下がる前記ロープと、
前記ロープに固定され、前記ロープ係合部から垂れ下がる前記ロープが引かれると、前記ロープ係合部に引っ掛かり、前記スライダを前記ポールに沿って押し下げるロープロック体と、
前記スライダと前記一対のアームとに接続され、前記スライダが前記ロープロック体によって前記ポールに沿って押し下げられることにより、前記一対のアームを前記ばねの弾性力に抗して閉じ、前記ロープ仮保持体に仮保持された前記ロープを前記フックに引っ掛けさせるアーム閉じ手段と、を備え、
前記一対のアームは、前記スライダの前記ロープ係合部から垂れ下がる前記ロープを引く力が解除されると、前記ばねの弾性力で元の開いた状態に復帰し、
前記スライダは、前記一対のアームが元の開いた状態に復帰する際に、前記アーム閉じ手段によって前記ポールに沿って持ち上げられて元の位置に復帰させられ、
前記フックは、前記ロープが引っ掛けられた状態で、且つ、前記一対のアームが前記棒状体に対して移動させられると、前記一対のアームのうちの一方から離脱し、前記ロープと共に前記棒状体に巻き付けられ、
前記ロープ仮保持体は、前記ロープが前記フックに引っ掛けられた状態で、且つ、前記一対のアームが前記棒状体に対して移動させられると、前記ロープを離す、
ことを特徴とするロープ取付具。
【請求項２】
一対のアームのうちの一方を第１アームとし、前記一対のアームのうちの他方を第２アームとすると、前記第２アームを前記第１アームに対して開いた状態で棒状体を収容し、前記第２アームを前記第１アームに対して閉じることによって、前記棒状体にロープを巻き付けるようになっているロープ取付具であって、
ポールの先端に固定された基端部から二股状に分岐した第１アーム支持体部と第２アーム支持体部とを有するアーム支持体と、
前記第１アーム支持体部の先端側に固定された前記第１アームと、
前記第２アーム支持体部の先端側に回動可能に支持された前記第２アームと、
前記第１アームの先端に着脱可能に取り付けられたフックと、
前記第２アームの先端に固定されたロープ仮保持体と、
前記ポールにスライド移動可能に取り付けられたスライダと、
前記フックと前記ロープ仮保持体とが離れて位置するように、前記第２アームを前記第１アームに対して開いた状態で保持するばねと、
前記フックに一端が固定され、前記ロープ仮保持体を介して前記スライダに張り渡され、前記スライダのロープ係合部から垂れ下がる前記ロープと、
前記ロープに固定され、前記ロープ係合部から垂れ下がる前記ロープが引かれると、前記ロープ係合部に引っ掛かり、前記スライダを前記ポールに沿って押し下げるロープロック体と、
前記スライダと前記第２アームに接続され、前記スライダが前記ロープロック体によって前記ポールに沿って押し下げられることにより、前記第２アームを前記ばねの弾性力に抗して閉じ、前記ロープ仮保持体に仮保持された前記ロープを前記フックに引っ掛けさせるアーム閉じ手段と、を備え、
前記第２アームは、前記スライダの前記ロープ係合部から垂れ下がる前記ロープを引く力が解除されると、前記ばねの弾性力で元の開いた状態に復帰し、
前記スライダは、前記第２アームが元の開いた状態に復帰する際に、前記アーム閉じ手段によって前記ポールに沿って持ち上げられて元の位置に復帰させられ、
前記フックは、前記ロープが引っ掛けられた状態で、且つ、前記第１アームと前記第２アームとが前記棒状体に対して移動させられると、前記第１アームから離脱し、前記ロープと共に前記棒状体に巻き付けられ、
前記ロープ仮保持体は、前記ロープが前記フックに引っ掛けられた状態で、且つ、前記一対のアームが前記棒状体に対して移動させられると、前記ロープを離す、
ことを特徴とするロープ取付具。
【請求項３】
前記ロープ仮保持体は、
・前記他方のアームの先端に固定されるアーム取付部と、前記アーム取付部から上側ロープ支持爪部と下側ロープ支持爪部とに二股状に分岐するロープ支持爪部とを有し、
・前記ロープが前記上側ロープ支持爪部と前記下側ロープ支持爪部との上下方向に張り渡され、
前記フックは、前記上側ロープ支持爪部と前記下側ロープ支持爪部との上下方向に張り渡された前記ロープを受け入れる開口部を有し、
前記フックの前記開口部には、前記開口部を開閉するロープ抜け止め体が回動可能に取り付けられ、
前記ロープ抜け止め体は、ロープ抜け止めばねで前記フックの前記開口部を塞ぐ方向に常時付勢され、前記上側ロープ支持爪部と前記下側ロープ支持爪部とに張り渡された前記ロープが前記開口部内に進入するのを可能にし、前記上側ロープ支持爪部と前記下側ロープ支持爪部とに張り渡された前記ロープが通過すると、前記開口部に形成されたストッパに前記ロープ抜け止めばねのばね力で突き当てられ、前記開口部を塞ぐ、
ことを特徴とする請求項１又は２に記載のロープ取付具。
【発明の詳細な説明】
【技術分野】
【０００１】
この発明は、樹木の幹等の棒状体にロープを巻き付けるために使用するロープ取付具に関する。
【背景技術】
【０００２】
樹木の伐採作業を人手で行う場合において、伐採対象の樹木の近くに家屋や電線が位置している場合には、伐採対象の樹木の幹にロープを巻き付け、そのロープを作業者が引っ張ることにより、樹木の切り倒し方向をロープでコントロールし、伐採した樹木が家屋等に衝突しないように工夫している。このような樹木の伐採作業において、ロープは、地上にいる作業者によって操作されるロープ取付具で樹木の高所に巻き付けられている。
【０００３】
（ロープ取付具の第１従来例）
図９は、従来から知られているロープ取付具１００の第１従来例を示す図である。この図９に示すロープ取付具１００は、開閉可能な一対のアーム１０１，１０２の一方（１０１）の先端に係合受け金具１０３が取り外し可能な状態で設置され、開閉可能な一対のアーム１０１，１０２の他方（１０２）の先端に係合突き金具１０４が取り外し可能な状態で取り付けられ、ロープ１０５の一端が係合受け金具１０３に固定され、ロープ１０５の他端が係合突き金具１０４に固定されている。また、ロープ１０５は、係合受け金具１０３側の一端と係合突き金具１０４側の他端との間の複数箇所が仮固定具１０６で一対のアーム１０１，１０２の上面に仮止めされている。そして、この図９に示すロープ取付具１００は、一対のアーム１０１，１０２を第１ゴム１０７の弾性力で開方向へ付勢し、一対のアーム１０１，１０２を第１ゴム１０７の弾性力よりも大きな弾性力の第２ゴム１０８で閉方向へ付勢し、一対のアーム１０１，１０２の開状態をストッパ１１０で保持するようになっている。
【０００４】
このようなロープ取付具１００は、開状態の一対のアーム１０１，１０２の間に樹木の幹を位置させ、作業者が安全フック１１１を外し、作業者が紐１１２を介して操作板１１３を下方へ引くと、一対のアーム１０１，１０２を第２ゴム１０８の弾性力に抗して開状態に保持するストッパ１１０が外れ、一対のアーム１０１，１０２が第２ゴム１０８の弾性力で閉じられる。これにより、ロープ取付具１００は、係合突き金具１０４が係合受け金具１０３に引っ掛けられ、樹木の幹にロープ１０５を巻き付けることができるようになっている。その後、このロープ取付具１００は、作業者が紐１１４を介してピン部材１１５をアーム１０２から引き抜くことにより、第２ゴム１０８の一端がアーム１０２から外れ、一対のアーム１０１，１０２を閉方向へ付勢する第２ゴム１０８の弾性力が解放され、一対のアーム１０１，１０２が第１ゴム１０７の弾性力で開かれる。この際、ロープ１０５は一対のアーム１０１，１０２の仮固定具１０６から外れ、係合受け金具１０３は一方のアーム１０１から外れ、係合突き金具１０４は他方のアーム１０２から外れる。その後、ロープ取付具１００は、作業者がポール１１６を操作し、一対のアーム１０１，１０２を樹木の幹から移動させることにより、ロープ１０５を樹木の幹に巻き付けることができるようになっている（特許文献１参照）。
【０００５】
（ロープ取付具の第２従来例）
図１０は、従来から知られているロープ取付具２００の第２従来例を示す図である。この図１０に示すロープ取付具２００は、本体部２０１に可動アーム部２０２，２０３が回動可能に取り付けられ、可動アーム部２０２，２０３の一端側にロープ保持部２０４，２０５が取り外し可能に取り付けられ、可動アーム部２０２，２０３の他端側に入力部２０６，２０７が突出するように配設されている。このロープ取付具２００は、開いた状態の可動アーム部２０２，２０３間に樹木の幹２０８を位置させ、樹木の幹２０８に入力部２０６，２０７を押し当てると、可動アーム部２０２，２０３が閉じ、可動アーム部２０２，２０３の一端側のロープ保持部２０４，２０５同士が係合し、ロープ保持部２０４，２０５に保持されたロープ２１０が樹木の幹２０８に巻き付けられた状態になる。その後、ロープ取付具２００は、操作棒２１１が作業者によって操作され、可動アーム部２０２，２０３が樹木の幹２０８から離れる方向へ移動させられると、ロープ保持部２０４，２０５が可動アーム部２０２，２０３から離脱し、ロープ２１０が可動アーム部２０２，２０３のロープ仮止め部２１２から外れて、ロープ２１０を可動アーム部２０２，２０３から分離した状態で樹木の幹２０８に巻き付けることができる。なお、ロープ取付具２００は、更に樹木の幹２０８から離れる方向へ移動させられると、可動アーム部２０２，２０３が樹木の幹２０８で押し広げられ、樹木の幹２０８から完全に離れることができるようになっている（特許文献２参照）。
【先行技術文献】
【特許文献】
【０００６】
【特許文献１】特開平９−２８２１４号公報
【特許文献２】特開２００９−３０号公報
【発明の概要】
【発明が解決しようとする課題】
【０００７】
しかしながら、図９に示す第１従来例に係るロープ取付具１００は、作業者が紐１１２を介して操作板１１３を下方に引くことにより、ストッパ１１０が外れ、一対のアーム１０１，１０２が第２ゴム１０８の弾性力で閉じ方向へ移動した際に、係合受け金具１０３と係合突き金具１０４との係合が不首尾に終わった場合、作業者がストッパ１１０及び操作板１１３を再セットし直さなくてはならず、作業効率が悪かった。また、図９に示す従来のロープ取付具１００は、作業者が操作板１１３を操作するための紐１１２とピン部材１１５を操作するための紐１１４の二種類の紐１１２，１１４を操作しなくてはならず、操作作業が繁雑であった。
【０００８】
また、図１０に示す第２従来例に係るロープ取付具２００は、樹木の幹２０８の断面形状が滑らかな円形でないか、又は樹木の幹２０８の表面に凹凸がある場合、樹木の幹２０８に入力部２０６，２０７の先端が引っ掛かり、可動アーム部２０２，２０３を閉じることができず、所望の位置にロープ２１０を巻き付けられない虞があると共に、入力部２０６，２０７を樹木の幹２０８に押し付ける動作を複数回実行することによる作業効率悪化の虞があった。
【０００９】
そこで、本発明は、ロープを樹木の幹等の棒状体に巻き付ける操作が簡単で且つ効率的に行うことを可能にするロープ取付具の提供を目的とする。
【課題を解決するための手段】
【００１０】
本発明は、開いた状態の一対のアーム２，３の間に棒状体６５を位置させ、前記一対のアーム２，３を閉じることによって前記棒状体６５にロープ３２を巻き付けるようになっているロープ取付具１に関するものである。
本発明のロープ取付具１は、
・ポール４の先端に固定されたアーム支持体５と、
・前記アーム支持体５に回動可能に支持された一対のアーム２，３と、
・前記一対のアーム２，３のうちの一方に着脱可能に取り付けられたフック１４と、
・前記一対のアーム２，３のうちの他方に固定されたロープ仮保持体２２と、
・前記ポール４にスライド移動可能に取り付けられたスライダ２８と、
・前記フック１４と前記ロープ仮保持体２２とが離れて位置するように、前記一対のアーム２，３を開いた状態で保持するばね２６，２７と、
・前記フック１４に一端が固定され、前記ロープ仮保持体２２を介して前記スライダ２８に張り渡され、前記スライダ２８のロープ係合部３３から垂れ下がる前記ロープ３２と、
・前記ロープ３２に固定され、前記ロープ係合部３３から垂れ下がる前記ロープ３２が引かれると、前記ロープ係合部３３に引っ掛かり、前記スライダ２８を前記ポール４に沿って押し下げるロープロック体３５と、
・前記スライダ２８と前記一対のアーム２，３とに接続され、前記スライダ２８が前記ロープロック体３５によって前記ポール４に沿って押し下げられることにより、前記一対のアーム２，３を前記ばね２６，２７の弾性力に抗して閉じ、前記ロープ仮保持体２２に仮保持された前記ロープ３２を前記フック１４に引っ掛けさせるアーム閉じ手段３０と、を備えている。
そして、本発明のロープ取付具１において、
前記一対のアーム２，３は、前記スライダ２８の前記ロープ係合部３３から垂れ下がる前記ロープ３２を引く力が解除されると、前記ばね２６，２７の弾性力で元の開いた状態に復帰するようになっている。また、前記スライダ２８は、前記一対のアーム２，３が元の開いた状態に復帰する際に、前記アーム閉じ手段３０によって前記ポール４に沿って持ち上げられて元の位置に復帰させられるようになっている。また、前記フック１４は、前記ロープ３２が引っ掛けられた状態で、且つ、前記一対のアーム２，３が前記棒状体６５に対して移動させられると、前記一対のアーム２，３のうちの一方から離脱し、前記ロープ３２と共に前記棒状体６５に巻き付けられるようになっている。また、前記ロープ仮保持体２２は、前記ロープ３２が前記フック１４に引っ掛けられた状態で、且つ、前記一対のアーム２，３が前記棒状体６５に対して移動させられると、前記ロープ３２を離すようになっている。
【００１１】
本発明は、一対のアーム６７，７３のうちの一方を第１アーム７３とし、前記一対のアーム６７，７３のうちの他方を第２アーム６７とすると、前記第２アーム６７を前記第１アーム７３に対して開いた状態で棒状体６５を収容し、前記第２アーム６７を前記第１アーム７３に対して閉じることによって、前記棒状体６５にロープ３２を巻き付けるようになっているロープ取付具６６に関するものである。
本発明のロープ取付具６６は、
・ポール４の先端に固定された基端部７０から二股状に分岐した第１アーム支持体部７１と第２アーム支持体部７２とを有するアーム支持体６８と、
・前記第１アーム支持体部７１の先端側に固定された前記第１アーム７３と、
・前記第２アーム支持体部７２の先端側に回動可能に支持された前記第２アーム６７と、
・前記第１アーム７３の先端に着脱可能に取り付けられたフック１４と、
・前記第２アーム６７の先端に固定されたロープ仮保持体２２と、
・前記ポール４にスライド移動可能に取り付けられたスライダ２８と、
・前記フック１４と前記ロープ仮保持体２２とが離れて位置するように、前記第２アーム６７を前記第１アーム７３に対して開いた状態で保持するばね７６と、
・前記フック１４に一端が固定され、前記ロープ仮保持体２２を介して前記スライダ２８に張り渡され、前記スライダ２８のロープ係合部３３から垂れ下がる前記ロープ３２と、
・前記ロープ３２に固定され、前記ロープ係合部３３から垂れ下がる前記ロープ３２が引かれると、前記ロープ係合部３３に引っ掛かり、前記スライダ２８を前記ポール４に沿って押し下げるロープロック体３５と、
・前記スライダ２８と前記第２アーム６７に接続され、前記スライダ２８が前記ロープロック体３５によって前記ポール４に沿って押し下げられることにより、前記第２アーム６７を前記ばね７６の弾性力に抗して閉じ、前記ロープ仮保持体２２に仮保持された前記ロープ３２を前記フック１４に引っ掛けさせるアーム閉じ手段７８と、を備えている。
そして、本発明のロープ取付具６６において、前記第２アーム６７は、前記スライダ２８の前記ロープ係合部３３から垂れ下がる前記ロープ３２を引く力が解除されると、前記ばね７６の弾性力で元の開いた状態に復帰するようになっている。また、前記スライダ２８は、前記第２アーム６７が元の開いた状態に復帰する際に、前記アーム閉じ手段７８によって前記ポール４に沿って持ち上げられて元の位置に復帰させられる。また、前記フック１４は、前記ロープ３２が引っ掛けられた状態で、且つ、前記第１アーム７３と前記第２アーム６７とが前記棒状体６５に対して移動させられると、前記第１アーム７３から離脱し、前記ロープ３２と共に前記棒状体６５に巻き付けられる。また、前記ロープ仮保持体２２は、前記ロープ３２が前記フック１４に引っ掛けられた状態で、且つ、前記一対のアーム６７，７３が前記棒状体６５に対して移動させられると、前記ロープ３２を離すようになっている。
【発明の効果】
【００１２】
本発明に係るロープ取付具は、開いた状態の一対のアーム間に棒状体を位置させ、ロープを引くだけで一対のアームが閉じ、一対のアームの一方に着脱可能に取り付けられたフックに、一対のアームの他方に固定されたロープ仮保持体に張り渡されたロープが引っ掛けられ、ロープを引く力が解除されるだけで一対のアームが開き、一対のアームが棒状体に対して移動させられると、フックが一対のアームの一方から離脱してロープと共に棒状体に巻き付けられる。したがって、本発明に係るロープ取付具は、ロープを簡単な操作で且つ効率的に棒状体に巻き付けることができる。また、本発明に係るロープ取付具は、フックにロープを引っ掛ける作業が外的要因（樹木の枝がロープに引っ掛かる等の原因）で失敗した場合、作業者がロープを引く手を離すだけで、一対のアームが元の開いた状態に復帰し、再度作業を繰り返すことができるため、ロープの巻き付け作業を効率的に行うことができる。
【００１３】
本発明に係るロープ取付具は、第１アームに対して第２アームを開いた状態にして棒状体を収容し、ロープを引くだけで第２アームが第１アームに対して閉じ、第１アームに着脱可能に取り付けられたフックに、第２アームに固定されたロープ仮保持体に張り渡されたロープが引っ掛けられ、ロープを引く力が解除されるだけで第２アームが開き、第１アーム及び第２アームが棒状体に対して移動させられると、フックが第１アームから離脱してロープと共に棒状体に巻き付けられる。したがって、本発明に係るロープ取付具は、ロープを簡単な操作で且つ効率的に棒状体に巻き付けることができる。また、本発明に係るロープ取付具は、フックにロープを引っ掛ける作業が外的要因（樹木の枝がロープに引っ掛かる等の原因）で失敗した場合、作業者がロープを引く手を離すだけで、第２アームが元の開いた状態に復帰し、再度作業を繰り返すことができるため、ロープの巻き付け作業を効率的に行うことができる。
【図面の簡単な説明】
【００１４】
【図１】本発明の第１実施形態に係るロープ取付具の一対のアームが開いた状態を示す図であり、図１（ａ）がロープ取付具の平面図、図１（ｂ）が図１（ａ）のＡ１−Ａ１線に沿って切断して示すロープ取付具の一部側面図、図１（ｃ）が図１（ａ）の矢印Ｂ１方向から見たロープ取付具の側面図、図１（ｄ）が図１（ａ）のＡ２−Ａ２線に沿って切断して示す図である。
【図２】本発明の第１実施形態に係るロープ取付具の一対のアームが閉じた状態を示す図であり、図２（ａ）がロープ取付具の第１閉状態を示す平面図、図2（ｂ）がロープ取付具の第２閉状態を示す平面図である。
【図３】本発明の第１実施形態に係るロープ取付具のフックを示す図であり、図３（ａ）がフックの平面図、図３（ｂ）が図３（ａ）の矢印Ｂ２方向から見たロープ取付具の側面図、図３（ｃ）が図３（ａ）の矢印Ｂ３方向から見たロープ取付具の正面図である。
【図４】本発明の第１実施形態に係るロープ取付具のロープ仮保持体を示す図であり、図４（ａ）がロープ仮保持体の平面図、図４（ｂ）が図４（ａ）の矢印Ｂ４方向から見たロープ仮保持体の側面図、図４（ｃ）が図４（ａ）の矢印Ｂ５方向から見たロープ仮保持体の側面図、図４（ｄ）がクリップの側面図である。
【図５】本発明の第１実施形態に係るロープ取付具のスライダを示す図であり、図５（ａ）がスライダの平面図、図５（ｂ）がスライダの側面図である。
【図６】本発明の第１実施形態に係るロープ取付具の作動状態を示す図であり、図６（ａ）がロープ取付具の第１作動状態図、図６（ｂ）がロープ取付具の第２作動状態図、図６（ｃ）がロープ取付具の第３作動状態図、図６（ｄ）がロープ取付具の第４作動状態図である。
【図７】本発明の第２実施形態に係るロープ取付具の第２アームが開いた状態を示す図であり、図７（ａ）がロープ取付具の平面図、図７（ｂ）が図７（ａ）のＡ３−Ａ３線に沿って切断して示すロープ取付具の一部側面図、図７（ｃ）が図７（ａ）の矢印Ｂ６方向から見たロープ取付具の側面図である。
【図８】本発明の第２実施形態に係るロープ取付具の第２アームが閉じた状態を示す図であり、図８（ａ）が樹木の幹をアーム支持体の内側に収容しない状態を示すロープ取付具の平面図、図８（ｂ）が樹木の幹をアーム支持体の内側に収容した状態を示すロープ取付具の平面図である。
【図９】第１従来例に係るロープ取付具の外観斜視図である。
【図１０】第２従来例に係るロープ取付具の平面図である。
【発明を実施するための形態】
【００１５】
以下、本発明の実施形態を図面に基づき詳述する。
【００１６】
［第１実施形態］
図１及び図２は、本発明の第１実施形態に係るロープ取付具１を示す図である。なお、図１は、ロープ取付具１の一対のアーム２，３が開いた状態を示す図である。また、図２は、ロープ取付具１の一対のアーム２，３が閉じた状態を示す図である。
【００１７】
図１に示すように、ポール４の先端側（図１（ｃ）におけるポール４の上端側）には、一対のアーム２，３を回動可能に支持するアーム支持体５が固定されている。このアーム支持体５は、ポール４に固定された基端部６と、この基端部６から略Ｖ字形状に延びる一対のアーム支持体部７，８と、を有している。一対のアーム支持体部７，８の一方を第１アーム支持体部７とし、一対のアーム支持体部７，８の他方を第２アーム支持体部８とすると、第１アーム支持体部７の先端側には一対のアーム２，３の一方である第１アーム２が回動可能に取り付けられ、第２アーム支持体部８の先端側には一対のアーム２，３の他方である第２アーム３が回動可能に取り付けられている。
【００１８】
図１及び図２に示すように、第１アーム２は、平面視した形状が略Ｌ字形状になっており、その略Ｌ字形状のコーナー部１０が第１アーム支持体部７の先端側に回動可能に支持されている。この第１アーム２は、フック取付アーム部１１と回動操作アーム部１２とを有しており、フック取付部１３の先端にフック１４が着脱可能に取り付けられ、回動操作アーム部１２が接続駒１５を介して第２アーム３の回動操作アーム部１６に接続されている。第１アーム２の回動操作アーム部１２は、接続駒１５のロッド１７をスライド移動可能に係合するための長穴１８が表裏を貫通するように形成されている。
【００１９】
図１及び図２に示すように、第２アーム３は、平面視した形状が略逆Ｌ字形状になっており、その略逆Ｌ字形状のコーナー部２０が第２アーム支持体部８の先端側に回動可能に支持されている。この第２アーム３は、ロープ仮保持体固定アーム部２１と回動操作アーム部１６とを有しており、ロープ仮保持体固定アーム部２１の先端にロープ仮保持体２２が固定され、回動操作アーム部１６が接続駒１５を介して第１アーム２の回動操作アーム部１２に接続されている。第２アーム３の回動操作アーム部１６は、接続駒１５のロッド１７をスライド移動可能に係合するための長穴２３が第１アーム２の長穴１８と同様に形成されている。
【００２０】
図１に示すように、接続駒１５は、第１アーム２の長穴１８及び第２アーム３の長穴２３にスライド移動可能に係合するロッド１７と、このロッド１７の上端に固定されて第２アーム３の回動操作アーム部１６の上面に沿ってスライド移動する上部プレート２４と、第１アーム２の回動操作アーム部１２の下面に沿ってスライド移動できるようにロッド１７に固定された下部プレート２５と、を有している。そして、ロッド１７は、その下端側が第１ばね２６（例えば、引っ張りコイルばね）で第１アーム支持体部７の先端側に接続されると共に、その下端側が第２ばね２７（例えば、引っ張りコイルばね）で第２アーム支持体部８の先端側に接続されている。これにより、接続駒１５は、第１アーム支持体部７の先端と第２アーム支持体部８の先端とを結ぶ仮想直線のほぼ中間位置に、第１ばね２６のばね力と第２ばね２７のばね力とで弾性的に保持されている。この際、ロープ取付具１は、第１アーム２の回動操作アーム部１２と第２アーム３の回動操作アーム部１６とが上下に重なるように位置し、第１アーム２のフック取付アーム部１１と第２アーム３のロープ仮保持体固定アーム部２１とが平行に位置している。
【００２１】
図１及び図５に示すように、ポール４の上部側で且つアーム支持体５の下方には、ポール４に沿ってスライド移動できるように係合された円筒状のスライダ２８が配置されている。このスライダ２８は、接続駒１５に一端が固定されたアーム閉じロープ３０（アーム閉じ手段）の他端を固定するロープ固定部３１が形成されている。また、スライダ２８は、樹木の幹等（棒状体）に巻き付けるロープ３２をスライド可能に係合し、ロープ３２の移動を案内するロープ係合部３３が形成されている。このロープ係合部３３は、二股状に分岐したガイド突起３４，３４の間にロープ３２を収容し、ロープ３２の移動を円滑に案内するものであり、スライダ２８から張り出すように形成されている。そして、このロープ係合部３３は、このロープ係合部３３から垂れ下がるロープ３２が作業者によって引かれ、ロープ３２に固定された球状のロープロック体３７がガイド突起３４，３４に引っ掛かると、ロープ３２の移動を阻止する。その結果、スライダ２８は、ロープ３２と共に引き下げられる。そして、スライダ２８は、第１ばね２６のばね力及び第２ばね２７のばね力に抗してアーム閉じロープ３０を引き、アーム閉じロープ３０を介して接続された接続駒１５をポール４側に引き寄せる。これにより、図２に示すように、ロープ取付具１は、第１アーム２のフック取付アーム部１１の先端側と第２アーム３のロープ仮保持体固定アーム部２１の先端側とが近づく方向に、第１アーム２のフック取付アーム部１１と第２アーム３のロープ仮保持体固定アーム部２１とを閉じる。また、図２（ａ）に示す閉じた状態の一対のアーム２，３は、作業者がロープ係合部３３から垂れ下がるロープ３２を引く力を解除すると、第１ばね２６及び第２ばね２７のばね力でアーム閉じロープ３０が引かれ、スライダ２８が元の位置に復帰し、図１（ａ）に示した開状態に戻る。
【００２２】
図１及び図３に示すように、フック１４は、フック取付部１３の先端に形成された係合穴３６に脱着可能に係合された係合突起３７と、この係合突起３７と一体に形成された略円弧形状のフック本体３８と、このフック本体３８の開口部１９に回動可能に取り付けられたロープ抜け止め体４０と、このロープ抜け止め体４０をフック本体３８の開口部１９に形成されたストッパ４１に突き当てるロープ抜け止めばね４２と、ロープ３２の一端が固定されるロープ固定突起４３と、を有している。ロープ抜け止め体４０は、フック本体３８の開口部１９に取り付けられた支持ロッド４４に回動可能に係合された筒状部４５と、この筒状部４５と一体に形成されたプレート部４６と、を有している。また、ロープ抜け止めばね４２は、フック本体３８の開口端の筒状部分４７に巻き付けられた巻き線ばねであり、その巻き線ばねの一端がフック本体３８に固定され、巻き線ばねの他端がプレート部４６の背面４６ａ側に当接し、プレート部４６をフック本体３８のストッパ４１に向けて付勢するようになっている。そして、このロープ抜け止めばね４２によって付勢されたプレート部４６は、ロープ仮保持体２２に張り渡されたロープ３２によって容易に押し開かれ、ロープ３２が通過後にフック本体３８のストッパ４１に押し付けられ、フック本体３８の開口部１９を塞いで、ロープ３２の抜け止めを行う（図２及び図４参照）。
【００２３】
図１及び図４に示すように、ロープ仮保持体２２は、第２アーム３のロープ仮保持体固定アーム部２１の先端に固定されるアーム取付部４８と、このアーム取付部４８から上側ロープ支持爪部５０と下側ロープ支持爪部５１とに二股状に分岐するロープ支持爪部５２と、を有している。この上側ロープ支持爪部５０及び下側ロープ支持爪部５１は、先端にＵ字状の溝５３が形成されている。そして、上側ロープ支持爪部５０の上面側に沿って張り渡されたロープ３２は、上側ロープ支持爪部５０のＵ字状の溝５３に係合されると共に、下側ロープ支持爪部５１のＵ字状の溝５３に係合され、下側ロープ支持爪部５１の下面側に沿って張り渡されることにより、上側ロープ支持爪部５０と下側ロープ支持爪部５１の上下方向に沿って張り渡されている。また、上側ロープ支持爪部５０と下側ロープ支持爪部５１は、一対のアーム２，３が閉じた状態でフック１４に衝突しないような形状に形成されている。
【００２４】
図１乃至図５に示すように、ロープ３２は、フック１４に固定された一端から第１アーム２の上面及び第２アーム３の上面に沿って配置され、第１アーム２の上面、第２アーム３の上面、及びロープ仮保持体２２の上面に設置された複数のクリップ５４に係合されることによってロープ仮保持体２２まで張り渡され、上側ロープ支持爪部５０及び下側ロープ支持爪部５１に張り渡された後、第２アーム３のロープ仮保持体固定アーム部２１の下面及び第２アーム支持体部８の下面に沿って配置され、ロープ仮保持体固定アーム部２１の下面及び第２アーム支持体部８の下面に設置された複数のクリップ５５に係合されることによってスライダ２８のロープ係合部３３まで張り渡され、更にロープ係合部３３から下方に垂れ下がっており、地上の作業者が操作できるようになっている（図１（ｃ）参照）。そして、ロープ３２は、作業者によって引き下げられると、ロープロック体３５がスライダ２８のガイド突起３４，３４に引っ掛かり、スライダ２８をポール４に沿って引き下げるようになっている。
【００２５】
図１、図２及び図４に示すように、クリップ５４，５５は、弾性変形が可能な合成樹脂材料で形成され、ロープ３２を収容する丸穴５６が形成されると共に、ロープ３２を丸穴５６に係合でき且つロープ３２を丸穴５６から離脱させることを可能にするスリット５７が形成されている。このクリップ５４，５５は、スリット５７の上方側の把持片５８がロープ３２をスリット５７に出し入れする際に弾性変形する。スリット５７の先端側には、ロープ３２を入れやすくするための傾斜面６０，６１が形成されている。そして、図１（ａ）において、第１アーム２のフック取付アーム部１１に設置されたクリップ５４は、スリット５７の先端が第２アーム３のロープ仮保持体固定アーム部２１に向けて開いている。また、図１（ａ）において、第１アーム２の回動操作アーム部１２に設置されたクリップ５４及び第２アーム３の回動操作アーム部１６に設置されたクリップ５４は、スリット５７の先端がフック取付アーム部１１とロープ仮保持体固定アーム部２１との間の空間へ向けて開口している。また、図１（ａ）において、ロープ仮保持体固定アーム部２１及びロープ仮保持体２２に設置されたクリップ５４，５５は、スリット５７の先端がフック取付アーム部１１側へ向けて開口している。また、図１（ａ）において、第２アーム支持体部８のクリップ５５は、内側（第１アーム支持体部７と第２アーム支持体部８との間の空間）に向けて開口している。
【００２６】
アーム閉じロープ３０は、一端が接続駒１５の上面部に固定され、他端がスライダ２８のロープ固定部３１に固定され、その途中箇所がポール４の上端に固定されたロープガイド６３のガイド溝６４にスライド移動できるように係合されている。
【００２７】
図６は、本実施形態に係るロープ取付具１の使用状態を示す図である。先ず、図６（ａ）に示すように、ロープ取付具１は、一対のアーム（第１アーム２及び第２アーム３）を開いた状態にし、一対のアーム２，３の回動操作アーム部１２，１６を樹木の幹（棒状体）６５に近づける。
【００２８】
次に、図６（ｂ）に示すように、ロープ取付具１は、スライダ２８のロープ係合部３３から垂れ下がるロープ３２が作業者によって引かれると、ロープ３２のロープロック体３５がロープ係合部３３のガイド突起３４，３４に引っ掛かり（図５参照）、スライダ２８がポール４に沿って下降する（図１（ｃ）参照）。この際、アーム閉じロープ３０は、下降するスライダ２８によって引かれ、接続駒１５を第１ばね２６及び第２ばね２７のばね力に抗してアーム支持体５の基端部６（ポール４）側に引き寄せ（図１（ｄ）参照）、一対のアーム２，３を閉じ始める。
【００２９】
更に、図６（ｃ）に示すように、ロープ取付具１は、スライダ２８のロープ係合部３３から垂れ下がるロープ３２が作業者によって引かれ（図１（ｃ）参照）、ロープ仮保持体２２に掛け渡されたロープ３２がフック１４に引っ掛けられるまで、スライダ２８のロープ係合部３３から垂れ下がるロープ３２が作業者によって引かれる。この際、ロープ取付具１は、一対のアーム２，３が樹木の幹（棒状体）６５を取り囲むように閉じ、フック１４に引っ掛けられたロープ３２が樹木の幹（棒状体）６５を取り囲む（図２参照）。なお、本実施形態に係るロープ取付具１は、作業者がロープ３２を離すと、一対のアーム２，３が第１ばね２６及び第２ばね２７のばね力で元の開いた状態（図６（ａ）に示す状態）に復帰するため（図１（ｄ）参照）、樹木の枝の影響等でロープ３２をフック１４に引っ掛ける作業が失敗した場合、樹木の幹（棒状体）６５に対する位置を変えて、図６（ａ）から図６（ｃ）までの作業を再び続行することができ、ロープ３２の巻き付け作業を効率的に行うことができる。
【００３０】
次に、図６（ｄ）に示すように、ロープ取付具１は、ロープ３２を引く力が緩められると、一対のアーム２，３が第１ばね２６及び第２ばね２７のばね力で元の開いた状態に復帰する（図１（ｄ）参照）。この際、ロープ取付具１は、接続駒１５がアーム支持体５の基端部６から遠ざかる方向に移動し、スライダ２８がアーム閉じロープ３０によって引っ張られて元の位置（図１（ｃ）に示すポール４の上部）に復帰する。その後、ロープ取付具１は、樹木の幹（棒状体）６５から離される。そして、フック１４は、図６（ｃ）から図６（ｄ）までの一連のロープ取付具１の動作において、第１アーム２のフック取付アーム部１１の先端から離脱する。また、ロープ３２は、図６（ｃ）から図６（ｄ）までの一連のロープ取付具１の動作において、ロープ取付具１のクリップ５４，５５から離脱する。その後、ロープ３２が作業者によって引っ張られると、フック１４及びロープ３２が樹木の幹（棒状体）６５に巻き付けられ、樹木の幹（棒状体）をロープ３２で引っ張ることが可能になる。
【００３１】
以上のような本実施形態に係るロープ取付具１は、開いた状態の一対のアーム２，３間に樹木の幹（棒状体）６５を位置させ、ロープ３２を引くだけで一対のアーム２，３が閉じ、一対のアーム２，３の一方（第１アーム２）に着脱可能に取り付けられたフック１４に、一対のアーム２，３の他方（第２アーム３）に固定されたロープ仮保持体２２に張り渡されたロープ３２が引っ掛けられ、ロープ３２を引く力が解除されるだけで一対のアーム２，３が開き、一対のアーム２，３が樹木の幹（棒状体）６５に対して移動させられると、フック１４が一対のアーム２，３の一方（第１アーム２）から離脱してロープ３２と共に樹木の幹（棒状体）６５に巻き付けられる。したがって、本実施形態に係るロープ取付具１は、ロープ３２を簡単な操作で且つ効率的に樹木の幹（棒状体）６５に巻き付けることができる。また、本実施形態に係るロープ取付具１は、フック１４にロープ３２を引っ掛ける作業が外的要因（樹木の枝がロープ３２に引っ掛かる等の原因）で失敗した場合、作業者がロープ３２を引く手を離すだけで、一対のアーム２，３が元の開いた状態に復帰し、再度作業を繰り返すことができるため、ロープ３２の巻き付け作業を効率的に行うことができる。
【００３２】
［第２実施形態］
図７及び図８は、本発明の第２実施形態に係るロープ取付具６６を示す図である。なお、図７は、ロープ取付具６６の第２アーム６７が開いた状態を示す図である。また、図８は、ロープ取付具６６の第２アーム６７が閉じた状態を示す図である。
【００３３】
図７に示すように、ポール４の先端側（図７（ｃ）におけるポール４の上端側）には、アーム支持体６８が固定されている。このアーム支持体６８（平面視した形状が略Ｃ字形状のアーム支持体６８）は、ポール４に固定された基端部７０と、この基端部７０から二股状に延びる一対のアーム支持体部７１，７２と、を有している。一対のアーム支持体部７１，７２の一方を第１アーム支持体部７１とし、一対のアーム支持体部７１，７２の他方を第２アーム支持体部７２とすると、第１アーム支持体部７１の先端側には第１アーム７３が固定され、第２アーム支持体部７２の先端側には第２アーム６７が回動可能に取り付けられている。
【００３４】
図７に示すように、第１アーム７３は、フック１４を取り付けるための係合凹部７４が先端に形成され、その係合凹部７４にフック１４の係合突起３７が嵌合されることにより、フック１４が着脱可能に取り付けられている。なお、フック１４は、第１実施形態において説明したフック１４と同様であるので、第１実施形態の説明と重複した説明を省略する。
【００３５】
図７及び図８に示すように、第２アーム６７は、長尺の板状体であり、その一端側が第２アーム支持体部７２の先端側に回動可能に支持されている。また、第２アーム６７は、その他端側にロープ仮保持体２２が固定されている。そして、この第２アーム６７は、第２アーム支持体部７２の先端側に固定された回動ストッパ７５にばね７６で押し付けられ、時計回り方向への回動が制限され、第１アーム７３と平行な状態（開いた状態）にばね７６の弾性力で保持されている。ばね７６は、図７（ａ）及び図７（ｃ）に示すように、第２アーム６７を第２アーム支持体部７２に回動可能に支持する支軸７７に巻き付けられた巻き線ばねであり、一端が第２アーム支持体部７２に固定され、他端が第２アーム６７の側面６７ａ（第１アーム７３に対向する側の側面６７ａ）に引っ掛けられ、第２アーム６７を第２アーム支持体部７２の回動ストッパ７５に向けて付勢している。なお、ロープ仮保持体２２は、第１実施形態において説明したロープ仮保持体２２と同様であるので、第１実施形態の説明と重複した説明を省略する。
【００３６】
図７及び図８に示すように、ロープ３２は、フック１４に固定された一端から第１アーム７３、アーム支持体６８、及び第２アーム６７の上面に沿ってロープ仮保持体２２まで配置され、第１アーム７３、アーム支持体６８、第２アーム６７、及びロープ仮保持体２２の上面に設置された複数のクリップ５４に係合されることによってフック１４からロープ仮保持体２２まで張り渡され、上側ロープ支持爪部５０及び下側ロープ支持爪部５１に張り渡された後、ロープ仮保持体２２の下面、及び第２アーム６７の下面に沿って配置され、ロープ仮保持体２２の下面、及び第２アーム６７の下面に設置された複数のクリップ５５に係合されることによってスライダ２８のロープ係合部３３まで張り渡され、更にロープ係合部３３から下方に垂れ下がっており、地上の作業者が操作できるようになっている。そして、ロープ３２は、作業者によって引き下げられると、ロープロック体３５がスライダ２８のガイド突起３４に引っ掛かり、スライダ２８をポール４に沿って引き下げるようになっている。また、ロープ３２は、第２アーム６７の下面の最も第２アーム支持体部７２寄りに位置するクリップ５５からロープ係合部３３まで延びる部分が第２アーム６７の回動を支える支軸７７よりも内側に位置している（なお、図７（ａ）において、略Ｃ形形状のアーム支持体６８の内周面側を内側とし、アーム支持体６８の外周面側を外側とする）。したがって、ロープ３２は、スライダ２８のロープ係合部３３から下方に垂れ下がった部分が作業者によって引き下げられると、第２アーム６７をばね７６の弾性力に抗して反時計回り方向（図７（ａ）の左回り方向）に回動させる。なお、スライダ２８は、第１実施形態において説明したスライダ２８と同様であるので、第１実施形態の説明と重複した説明を省略する。また、クリップ５４，５５は、第１実施形態において説明したクリップ５４，５５と同様であり（図４（ｄ）参照）、スリット５７がアーム支持体６８の内側へ向けて開口している。
【００３７】
図７及び図８に示すように、アーム閉じロープ７８は、一端が第２アーム６７の上面側のクリップ５５と第２アーム６７の支軸７７との間に固定され、他端がスライダ２８のロープ固定部３１に固定され、その途中箇所がポール４の上端に固定されたロープガイド６３のガイド溝６４にスライド移動できるように係合されている。
【００３８】
このような本実施形態に係るロープ取付具６６は、第２アーム６７が開いた状態において（図７（ａ）に示す状態において）、アーム支持体６８の内側に樹木の幹（棒状体）６５が収容された後、スライダ２８のロープ係合部３３から下方に垂れ下がったローブ３２が作業者によって引き下げられると、ロープ３２のロープロック体３５がスライダ２８のガイド突起３４，３４に引っ掛かり、スライダ２８がポール４に沿って引き下げられる。この際、アーム閉じロープ７８（アーム閉じ手段）は、スライダ２８によって引っ張られ、第２アーム６７をばね７６の弾性力に抗して閉じ方向へ回動させ、ロープ仮保持体２２に張り渡されたロープ３２がフック１４に引っ掛けられるまで第２アーム６７を回動させ、第１アーム７３と第２アーム６７との開口部を閉じる（図８参照）。
【００３９】
また、本実施形態に係るロープ取付具６６は、第２アーム６７が閉じた状態において（図８に示す状態において）、ロープ３２を引く力が解除されると、第２アーム６７がばね７６の弾性力で時計回り方向（開く方向）に回動させられ、第２アーム６７が第２アーム支持体部７２の回動ストッパ７５にばね７６によって押し当てられて保持される（図７に示すように、第２アーム６７が開いた状態で保持される）。その後、ロープ取付具６６は、樹木の幹（棒状体）６５から離されると、フック１４が第１アーム７３から離脱し、クリップ５４，５５に仮保持されたロープ３２がクリップ５４，５５から離脱し、フック１４及びロープ３２が樹木の幹（棒状体）６５に巻き付けられる。
【００４０】
このように、本実施形態に係るロープ取付具６６は、第１アーム７３に対して第２アーム６７を開いた状態にして樹木の幹（棒状体）６５を収容し、ロープ３２を引くだけで第２アーム６７が第１アーム７３に対して閉じ、第１アーム７３に着脱可能に取り付けられたフック１４に、第２アーム６７のロープ仮保持体２２に張り渡されたロープ３２が引っ掛けられ、ロープ３２を引く力が解除されるだけで第２アーム６７が開き、第１アーム７３及び第２アーム６７が樹木の幹（棒状体）６５に対して移動させられると、フック１４が第１アーム７３から離脱してロープ３２と共に樹木の幹（棒状体）６５に巻き付けられる。したがって、本実施形態に係るロープ取付具６６は、ロープ３２を簡単な操作で且つ効率的に樹木の幹（棒状体）６５に巻き付けることができる。また、本実施形態に係るロープ取付具６６は、フック１４にロープ３２を引っ掛ける作業が外的要因（樹木の枝がロープ３２に引っ掛かる等の原因）で失敗した場合、作業者がロープ３２を引く手を離すだけで、第２アーム６７が元の開いた状態に復帰し、再度作業を繰り返すことができるため、ロープ３２の巻き付け作業を効率的に行うことができる。
【符号の説明】
【００４１】
１，６６……ロープ取付具、２，７３……第１アーム、３，６７……第２アーム、４……ポール、５，６８……アーム支持体、１４……フック、２２……ロープ仮保持体、２６……第１ばね（ばね）、２７……第２ばね（ばね）、２８……スライダ、３０，７８……アーム閉じロープ（アーム閉じ手段）、３２……ロープ、３３……ロープ係合部、３５……ロープロック体、６５……樹木の幹（棒状体）、７０……基端部、７１……第１アーム支持体部、７２……第２アーム支持体部、７６……ばね
【図１】
2018099034.tif 000003
【図２】
2018099034.tif 000004
【図３】
2018099034.tif 000005
【図４】
2018099034.tif 000006
【図５】
2018099034.tif 000007
【図６】
2018099034.tif 000008
【図７】
2018099034.tif 000009
【図８】
2018099034.tif 000010
【図９】
2018099034.tif 000011
【図１０】
2018099034.tif 000012